【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
構成出力を生成するためのシステムであって、以下を含む、システム：
オーダー・エントリ・インターフェースであって、該インターフェースは、治療法オーダーを受け取るように動作可能であり、該オーダーは、少なくとも一部の治療法の記載を含み、該記載は、患者ケア装置を用いて患者に施すための治療法に対応する、該インターフェース；並びに
構成出力ジェネレーターであって、前記オーダー・エントリ・インターフェースと動作可能に通信する、該ジェネレーター；並びに
構成出力であって、前記構成出力ジェネレーターによって生成され、以下を含む、該構成出力：
第一部分であって、第一パーツを含み、該パーツは、一部の前記治療法の記載に基づいて、少なくとも部分的に生成される、該部分、及び
第二部分であって、第一のコードを含み、該コードは、前記第一部分に基づいて少なくとも部分的に生成される、該部分。
【請求項２】
請求項１に記載のシステムであって、前記患者ケア装置が、ユーザーによる手動エントリにより、前記第一部分及び前記第二部分を受け取るための、ユーザー・インターフェースを含む、該システム。
【請求項３】
請求項２に記載のシステムであって、前記治療法は、ＩＶ流体を患者に前記患者ケア装置を用いて投与することを含む、該システム。
【請求項４】
請求項２に記載のシステムであって、前記患者ケア装置は注入ポンプを更に含む、該システム。
【請求項５】
請求項４に記載のシステムであって、前記治療法オーダーは用量オーダーを含み、該オーダーは、前記注入ポンプを用いて投与する前記ＩＶ流体に対応する用量の記載を含む、該システム。
【請求項６】
請求項５に記載のシステムであって、前記構成出力はラベルを含む、システム。
【請求項７】
請求項６に記載のシステムであって、前記ラベルは、前記ＩＶ流体を含有する容器に取り付けられる、該システム。
【請求項８】
請求項７に記載のシステムであって、前記患者ケア装置は、前記第一部分のエントリを、前記第二部分に基づいて確認するよう動作可能である、該システム。
【請求項９】
請求項７に記載のシステムであって、前記第一部分は、前記患者ケア装置の少なくとも一部の構成プロトコルに少なくとも部分的に基づき、前記第一部分が第二のコードを含む、該システム。
【請求項１０】
請求項９に記載のシステムであって、前記第一部分は、第二パーツを含み、該パーツは、前記第二のコードを含む、該システム。
【請求項１１】
請求項１０に記載のシステムであって、前記第一パーツは、プレーンテキスト値を含み、該値は、前記治療法の記載に対応する、該システム。
【請求項１２】
請求項１１に記載のシステムであって、前記患者ケア装置は、前記プレーンテキスト値のエントリを、前記第二のコードに基づいて確認するよう動作可能であり、及び前記患者ケア装置は、前記第二のコードを、前記第一のコードに基づいて有効化するよう動作可能である、該システム。
【請求項１３】
請求項９に記載のシステムであって、前記第二のコードは、患者ケア装置を設定する際に使用するための１以上の設定データコンポーネントを表す、該システム。
【請求項１４】
請求項１３に記載のシステムであって、前記患者ケア装置は、予め記憶された治療法データセットに動作可能に通信し、前記第二のコードによって表される設定データコンポーネントにアクセスする、該システム。
【請求項１５】
請求項１に記載のシステムであって、前記オーダー・エントリ・インターフェースは、プロセッサによって実行され、該プロセッサは、メモリと動作可能に通信する、該システム。
【請求項１６】
請求項１５に記載のシステムであって、前記メモリは、非一時的なコンピュータ読取可能データを保持し、該データは、前記オーダー・エントリ・インターフェースの実行に対応する、該システム。
【請求項１７】
請求項１に記載のシステムであって、前記構成出力ジェネレーターは、プロセッサによって実行され、該プロセッサは、メモリと動作可能に通信する、該システム。
【請求項１８】
請求項１７に記載のシステムであって、前記メモリは、非一時的なコンピュータ読取可能データを保持し、該データは、前記構成出力ジェネレーターの実行に対応する、該システム。
【請求項１９】
請求項９に記載のシステムであって、前記第一部分は、前記治療法の記載及び前記構成プロトコルの各々の少なくとも一部に少なくとも部分的に基づく、該システム。
【請求項２０】
請求項１９に記載のシステムであって、前記第一部分は、少なくとも部分的に以下に対応する、該システム：構成プロトコルの１以上の設定データコンポーネント、構成プロトコルのデータ入力シーケンス、及び構成プロトコルの少なくとも１つの構成パラメーター形式。
【手続補正２】
【補正対象書類名】明細書
【補正対象項目名】００２２
【補正方法】変更
【補正の内容】
【００２２】
一実施形態において、方法は、患者ケア装置を特定することも含むことができ、該装置は、治療法を患者に施すために使用される物であり、患者ケア装置は、治療法を施すための少なくとも１つの所定の構成プロトコルを有する。従って、第一部分は、少なくとも部分的に以下の点に基づくものであってもよい：各治療法の記載及び所定の構成プロトコルの少なくとも一部。即ち、コードを含むことに加えて、構成出力は、患者ケア装置特有の構成出力であってもよい。従って、第一部分は、少なくとも部分的に以下に対応するものであってもよい：所定の構成プロトコルの１以上の設定データコンポーネント、所定の構成プロトコルのデータ入力シーケンス、及び所定の構成プロトコルの少なくとも１つの構成パラメーター形式。一実施形態において、構成プロトコルは以下のタイプのデータのうち少なくとも１つを含むことができる：
【手続補正３】
【補正対象書類名】明細書
【補正対象項目名】０１０３
【補正方法】変更
【補正の内容】
【０１０３】
図面及び上記説明において、本発明について、例示及び詳細な説明を行ってきたが、こうした例示及び説明は、例示的なものとして考えるべきであり、特徴を限定するものではない。例えば、上述したある特定の実施形態は、他の説明した実施形態及び／又は他の方法でアレンジしたものと組み合わせてもよい（例えば、プロセス要素は、他のシーケンスで実行できる）。従って、以下の点を理解されたい：即ち、好ましい実施形態及びこれらの変更を図示し及び説明したに過ぎないのであって、本発明の思想に入る全ての変更及び修正は保護されることを企図する。
本発明は一側面において以下の発明を包含する。
（発明１）
患者ケア装置（１４０）を用いて患者に施すための治療法に対応する治療法オーダーに関する構成出力の生成のための方法であって、以下のステップを含む方法：
治療法オーダーを受け取るステップ（３０２）であって、該オーダーは、治療法の記載を含み、該記載は患者に施すための治療法に対応する、該ステップ；
前記治療法を施すための前記患者ケア装置（１４０）の設定において使用するための前記治療法オーダーのための構成出力（９００；９００’；９００”）を生成するステップ（３１６）；
ここで、前記構成出力（９００；９００’；９００”）の少なくとも第一部分（９０４）は、第一パーツを含み、該パーツは、一部の前記治療法の記載に基づいて、少なくとも部分的に生成され；及び
ここで、前記構成出力（９００；９００’；９００”）の第二部分（９０４）は、第一のコードを含み、該コードは、前記第一部分（９０２）に基づいて少なくとも部分的に生成される、該方法。
（発明２）
発明１に記載の方法であって、生成ステップ（３１６）は、コンピュータ−で自動化された態様で、少なくとも部分的に完了する、該方法。
（発明３）
発明１又は発明２に記載の方法であって、前記治療法は、ＩＶ流体（２５２）を、患者に、注入装置（２００）を用いて投与することを含む、該方法。
（発明４）
発明３に記載の方法であって、前記治療法オーダーは用量オーダーを含み、該オーダーは、投与する前記ＩＶ流体（２５２）に対応する用量の記載を含む、該方法。
（発明５）
発明４に記載の方法であって、前記用量の記載は、投与する前記ＩＶ流体（２５２）の１以上の属性を含む、該方法。
（発明６）
発明１〜５のうちいずれか１つの方法であって、前記第一部分（９０２）は、前記患者ケア装置（１４０）の少なくとも一部の構成プロトコルに少なくとも部分的に基づく、該方法。
（発明７）
発明１〜６のうちいずれか１つに記載の方法であって、前記第一部分（９０２）は第二のコードを含む、該方法。
（発明８）
発明７に記載の方法であって、前記第二のコードが一部の治療法の記載に基づいて、少なくとも部分的に生成される、該方法。
（発明９）
発明７又は発明８に記載の方法であって、前記第一のコードは、前記第二のコードに基づいて、少なくとも部分的に生成される、該方法。
（発明１０）
発明１〜９のうちいずれか１つに記載の方法であって、第一パーツは、プレーンテキスト値を含み、前記値は、前記患者ケア装置（１４０）の前記構成プロトコルに対応する、該方法。
（発明１１）
発明１〜１０のうちいずれか１つに記載の方法であって、前記構成プロトコルは、１以上の設定データ入力コンポーネントを含む、該方法。
（発明１２）
発明７〜１１のうちいずれか１つに記載の方法であって、前記第一部分は、第二パーツを含み、該パーツは、前記第二のコードを含む、該方法。
（発明１３）
発明７〜１２のうちいずれか１つに記載の方法であって、前記第一のコード及び前記第二のコードのうち各々１つは、１以上のヒト読取可能なディジットを含み、該ディジットは、ＡＳＣＩＩ印刷可能文字を含む、該方法。
（発明１４）
発明７〜１３のうちいずれか１つに記載の方法であって、前記第二のコードは、前記対応する治療法の記載を表す、該方法。
（発明１５）
発明１４に記載の方法であって、前記第二のコードは、前記患者ケア装置（１４０）において予め記憶された治療法データセットを示し、該データセットは、前記対応する治療法の記載に対応する、該方法。
（発明１６）
発明１〜１５のうちいずれか１つに記載の方法であって、更に以下のステップを含む方法：
前記患者に前記治療法を施すために使用するための患者ケア装置（１４０）を識別するステップ（３０４）であって、前記患者ケア装置（１４０）は、治療法を施すための、少なくとも１つの所定の構成プロトコルを有する、該ステップ；
ここで、前記第一部分は、前記治療法の記載及び前記所定の構成プロトコルの各々の少なくとも一部に少なくとも部分的に基づく。
（発明１７）
発明１６に記載の方法であって、前記第一部分は、少なくとも部分的に以下に対応する該方法：前記所定の構成プロトコルの１以上の設定データコンポーネント、所定の構成プロトコルのデータ入力シーケンス、及び少なくとも１つの構成パラメーター形式の前記所定の構成プロトコル。
（発明１８）
発明６〜１７のうちいずれか１つに記載の方法であって、構成プロトコルは、以下のタイプのデータのうち少なくとも１つを含む、該方法：
患者ケア施設内での前記患者の場所を表すデータ；
所定の複数の治療法のタイプのうちの１つを表すデータ；
少なくとも１つのドラッグを表すデータ；
治療濃度を表すデータ；
投与速度を表すデータ；及び
投与量を表すデータ。
（発明１９）
発明６〜１８のうちいずれか１つに記載の方法であって、前記第一部分は、プレーンテキスト値を含み、該値は、前記患者ケア装置（１４０）の前記構成プロトコルに対応する、該方法。
（発明２０）
発明７〜１９のうちいずれか１つに記載の方法であって、所与の治療法の記載のため、複数の予め決定可能な第二のコードのうちの１つが、前記生成ステップ（３１６）において生成可能である、該方法。
（発明２１）
発明２０に記載の方法であって、前記複数の予め決定可能な第二のコードが各々異なる、該方法。
（発明２２）
発明２０又は発明２１に記載の方法であって、前記複数の予め決定可能な第二のコードのうちの各々１つが、複数の期間のうちの異なる１つとの対応する関係において、生成可能である、該方法。
（発明２３）
発明２２に記載の方法であって、前記複数の期間が、定義された数のドーズと対応する、該方法。
（発明２４）
発明２２又は発明２３に記載の方法であって、前記複数の期間のうち所与の１つの間、前記複数の予め決定可能な第二のコードのうち１つは、治療法オーダーとの対応する関係において生成可能である、該方法。
（発明２５）
発明２０〜２４のうちいずれか１つに記載の方法であって、前記治療法オーダーが患者に対応し、及び前記複数の予め決定可能な第二のコードのうち１つは、前記患者と対応する関係で記憶される、該方法。
（発明２６）
発明２５に記載の方法であって、前記複数の予め決定可能な第二のコードのうち１つは、前記患者ケア装置（１４０）から受け取り可能であり、前記装置は、前記治療法を前記患者に施すために使用され、及び前記治療法を前記患者に施すために使用される前記患者ケア装置（１４０）に関連するデータは、前記患者に対応する関係で記憶される、該方法。
（発明２７）
発明１〜２６のうちいずれか１つに記載の方法であって、前記第一部分及び前記第一のコードは、前記患者ケア装置（１４０）において、ユーザーが入力する、該方法。
（発明２８）
発明２７に記載の方法であって、前記第一部分は、前記患者ケア装置（１４０）の構成プロトコルに対応し、及び前記第一のコードは、前記患者ケア装置（１４０）において、前記ユーザーが入力した前記第一部分を確認するために用いられる、該方法。
（発明２９）
発明２７又は発明２８に記載の方法であって、前記第一部分は第二のコードを含み、及び前記第一のコードは、前記患者ケア装置（１４０）において、前記ユーザーが入力した前記第二のコードを有効化するために使用される、該方法。
（発明３０）
発明２９に記載の方法であって、前記第一のコード及び前記第二のコードは、１以上のＡＳＣＩＩ印刷可能文字を含む、該方法。
（発明３１）
発明３０に記載の方法であって、前記第一のコード及び前記第二のコードは、アルファニューメリックコードを含む、該方法。
（発明３２）
発明１〜３１のうちいずれか１つに記載の方法であって、更に以下のステップを含む、該方法：
前記構成出力を含むラベル（２６２；２６２’）を生成するステップ；及び
前記ラベル（２６２；２６２’）を、前記ＩＶ流体（２５２）を含有する容器（２５０）に取り付けるステップ。
（発明３３）
発明１〜３２のうちいずれか１つに記載の方法であって、治療法の記載に対応するデータは、前記第一のコードを生成するために用いるアルゴリズムに関する入力を含む、該方法。
（発明３４）
発明３３に記載の方法であって、対応するアルゴリズムが、前記患者ケア装置（１４０）に記憶される、該方法。
（発明３５）
発明３３又は発明３４に記載の方法であって、前記対応するアルゴリズムは、前記第一部分の分析のための前記第一のコードとの比較のための比較コードを生成するように動作可能である、該方法。
（発明３６）
発明３３又は発明３４に記載の方法であって、前記対応するアルゴリズムは、前記第一部分の分析のための前記第一のコードを解読するように動作可能である、該方法。
（発明３７）
構成出力を生成するためのシステムであって、以下を含む、システム：
オーダー・エントリ・インターフェース（１１０）であって、該インターフェースは、治療法オーダーを受け取るように動作可能であり、該オーダーは、少なくとも一部の治療法の記載を含み、該記載は、患者ケア装置（１４０）を用いて患者に施すための治療法に対応する、該インターフェース；並びに
構成出力ジェネレーター（１２０）であって、前記オーダー・エントリ・インターフェース（１１０）と動作可能に通信する、該ジェネレーター；並びに
構成出力であって、前記構成出力ジェネレーター（１２０）によって生成され、以下を含む、該構成出力：
第一部分であって、第一パーツを含み、該パーツは、一部の前記治療法の記載に基づいて、少なくとも部分的に生成される、該部分、及び
第二部分であって、第二パーツを含み、該パーツは、前記第一部分に基づいて少なくとも部分的に生成される、該部分。
（発明３８）
発明３７に記載のシステムであって、更に以下を含む、システム：
患者ケア装置（１４０）であって、ユーザーによる手動エントリにより、前記第一部分及び前記第二部分を受け取るための、ユーザー・インターフェースを有する該装置。
（発明３９）
発明３７又は発明３８に記載のシステムであって、前記治療法は、ＩＶ流体（２５２）を患者に前記患者ケア装置（１４０）を用いて投与することを含む、該システム。
（発明４０）
発明３８又は発明３９に記載のシステムであって、前記患者ケア装置（１４０）は注入ポンプを含む、該システム。
（発明４１）
発明４０に記載のシステムであって、前記治療法オーダーは用量オーダーを含み、該オーダーは、前記注入ポンプを用いて投与する前記ＩＶ流体（２５２）に対応する用量の記載を含む、該システム。
（発明４２）
発明３７〜４１のうちいずれか１つに記載のシステムであって、前記構成出力はラベル（２６２；２６２’）を含む、システム。
（発明４３）
発明４２に記載のシステムであって、前記ラベル（２６２；２６２’）は、前記ＩＶ流体（２５２）を含有する容器（２５０）に取り付けられる、該システム。
（発明４４）
発明３８〜４３のうちいずれか１つに記載のシステムであって、前記患者ケア装置（１４０）は、前記第一部分のエントリを、前記第二部分に基づいて確認するよう動作可能である、該システム。
（発明４５）
発明３７〜４４のうちいずれか１つに記載のシステムであって、前記第一部分が第二のコードを含む、該システム。
（発明４６）
発明４５に記載のシステムであって、前記第一部分は、第二パーツを含み、該パーツは、前記第二のコードを含む、該システム。
（発明４７）
発明４６に記載のシステムであって、前記第一パーツは、プレーンテキスト値を含み、該値は、前記治療法の記載に対応する、該システム。
（発明４８）
発明４６に記載のシステムであって、前記患者ケア装置（１４０）は、前記プレーンテキスト値のエントリを、第二のコードに基づいて確認するよう動作可能であり、及び前記患者ケア装置（１４０）は、前記第二のコードを、前記第一のコードに基づいて有効化するよう動作可能である、該システム。
（発明４９）
発明４５〜４８のうちいずれか１つに記載のシステムであって、前記第二のコードは、患者ケア装置（１４０）を設定する際に使用するための１以上の設定データコンポーネントを表す、該システム。
（発明５０）
発明４５〜４９のうちいずれか１つに記載のシステムであって、前記患者ケア装置（１４０）は、予め記憶された治療法データセットに動作可能に通信し、前記第二のコードによって表される設定データコンポーネントにアクセスする、該システム。
（発明５１）
発明３７〜５０のうちいずれか１つに記載のシステムであって、前記オーダー・エントリ・インターフェース（１１０）は、プロセッサによって実行され、該プロセッサは、メモリと動作可能に通信する、該システム。
（発明５２）
発明５１に記載のシステムであって、前記メモリは、非一時的なコンピュータ読取可能データを保持し、該データは、前記オーダー・エントリ・インターフェース（１１０）の実行に対応する、該システム。
（発明５３）
発明３７〜５２のうちいずれか１つに記載のシステムであって、前記構成出力ジェネレーター（１２０）は、プロセッサによって実行され、該プロセッサは、メモリと動作可能に通信する、該システム。
（発明５４）
発明５３に記載のシステムであって、前記メモリは、非一時的なコンピュータ読取可能データを保持し、該データは、前記構成出力ジェネレーター（１２０）の実行に対応する、該システム。